(57)【要約】【課題】携帯端末を持つユーザにとって、より利便性の高い情報検索システムを提供する。【解決手段】携帯端末の検索キーを押下し、表示されているテキスト情報を、検索サービス提供会社サーバに送信する。検索サービス提供会社サーバは、携帯端末より送信されたテキスト情報を受信すると、自サーバのデータベースにある文言を、検出し、検出された文言の関連情報の、ＵＲＬ情報を埋め込むアンカー処理（リンク付け）を行う。この検索サービス処理後のコンテンツ情報を、携帯端末に送信する。ユーザは、アンカー処理された文言を選択することで、ウェブページを表示でき、携帯端末機における情報検索の実行性と利便性を高める事が可能となる。【選択図】図１
2009211278.tif 000002
【特許請求の範囲】
【請求項１】
ウェブサイトを閲覧する閲覧手段を有する携帯端末と、
テキスト文書からデータベース内にある文言を検出する検出手段と、前記検出手段によって検出された文言について関連情報を検索する検索手段と、前記検索手段にて検索された情報を、前記文言に関連付けてアンカー形式で表示を行う関連付け手段を有する検索処理装置とを備える検索システムにおいて、
前記携帯端末の画面に表示されているテキスト文書を、前記検索処理装置に送信する送信手段と、
前記送信手段によって送信されたテキスト文書中の、前記関連付け手段により関連付けられたアンカー形式で表示される文言における関連情報を閲覧する関連情報閲覧手段を備えることを特徴とする携帯端末を利用した検索システム。
【請求項２】
前記検索処理装置は、前記検出された文言にＵＲＬ（Ｕｓｅｒ  Ｒｅｑｕｉｒｅｍｅｎｔ  Ｌａｎｇｕａｇｅ）情報を埋め込むアンカー処理を行うことを特徴とする請求項１に記載の携帯端末を利用した検索システム。
【請求項３】
さらに、前記携帯端末は、前記関連情報閲覧手段におけるテキスト文書を前記検索処理装置へ再度送信する再送信手段を有し、
前記再送信手段によって送信されたテキスト文書中の、前記関連付け手段により関連付けられたアンカー形式で表示される文言の関連情報を閲覧する再検索手段を備えることを特徴とする請求項１又は２に記載の携帯端末を利用した検索システム。
【請求項４】
携帯端末により、ウェブサイトを閲覧する閲覧ステップと、
検索処理装置により、テキスト文書からデータベース内にある文言を検出する検出ステップと、
前記検出ステップによって検出された文言について関連情報を検索する検索ステップと、
前記検索ステップにて検索された情報を、前記文言に関連付けてアンカー形式で表示を行う関連付けステップを有する検索方法において、
前記携帯端末の画面に表示されているテキスト文書を、前記検索処理装置に送信する送信ステップと、
前記送信ステップによって送信されたテキスト文書中の、前記関連付けステップにより関連付けられたアンカー形式で表示される文言における関連情報を閲覧する関連情報閲覧ステップを有することを特徴とする携帯端末を利用した検索方法。
【請求項５】
前記検索処理装置が、前記検出された文言にＵＲＬ（Ｕｓｅｒ  Ｒｅｑｕｉｒｅｍｅｎｔ  Ｌａｎｇｕａｇｅ）情報を埋め込むアンカー処理を行うステップを有することを特徴とする請求項４に記載の携帯端末を利用した検索方法。
【請求項６】
さらに、前記携帯端末が、前記関連情報閲覧ステップにおけるテキスト文書を前記検索処理装置へ再度送信する再送信ステップを有し、
前記再送信ステップによって送信されたテキスト文書中の、前記関連付けステップにより関連付けられたアンカー形式で表示される文言の関連情報を閲覧する再検索ステップを有することを特徴とする請求項４又は５に記載の携帯端末を利用した検索方法。
【発明の詳細な説明】
【技術分野】
【０００１】
本発明は、特に、公衆無線電話網およびインターネットを介して開示されているテキスト情報を検索する、携帯端末を利用した検索システムおよびその検索方法に関する。
【背景技術】
【０００２】
従来、携帯端末を利用した検索システムおよびその検索方法は、公衆無線電話網およびインターネットを介して開示されているテキスト情報を検索する、一つの手法として一般的に利用されている。本発明と技術分野の類似する下に掲示の特許文献１では、不特定のワードプロセッサ用ソフトウェアやテキストエディタ用ソフトウェアなどを利用して、知りたいことを自由な文章として作成し、この作成した文章を、検索を実行するための指定メールアドレスに、電子メール送信する。その電子メールを受け取った検索サイトは、送信されて来た文章から、自動的に必用なキーワードを抽出し、この抽出したキーワードを基に、さらに検索を行うとしている。
【０００３】
また、特許文献２では、受信した放送番組のコンテンツに関連したキーワードを、自動的に抽出して表示することを可能としている。また、ユーザ操作でキーワードを入力し、インターネットのウェブページを検索することも、可能としている。
【特許文献１】特開２００３−７６７１１号公報
【特許文献２】特開２００５−１１５７９０号公報
【発明の開示】
【発明が解決しようとする課題】
【０００４】
しかし、上記発明では、ユーザの意思が積極的に且つ有意に伴わず、自動的に検索および抽出が実行される。その実行における抽出結果は、必ずしもユーザが欲している情報とは限らない場合が多い、という問題点を有している。また、インターネットのウェブページを検索するためには、ユーザの入力操作が必要であり、選択操作を行う手間がかかるという、問題点も有している。
【０００５】
この様に、従来の一般的な技術では、携帯端末機を用いた場合におけるハード並びにシステム構成上の、長所を伸ばし且つ短所を補う現状システムに柔軟に対応した、より利便性の高い検索システムおよび検索方法の提案並びに実現が、十分に為されていない問題点を伴う。
【０００６】
本発明は、利便性・活用性をより高めた、携帯端末を利用した検索システムおよびその検索方法を、提供することを目的とする。
【課題を解決するための手段】
【０００７】
かかる目的を達成するため、本発明の携帯端末を利用した検索システムは、ウェブサイトを閲覧する閲覧手段を有する携帯端末と、テキスト文書からデータベース内にある文言を検出する検出手段と、検出手段によって検出された文言について関連情報を検索する検索手段と、検索手段にて検索された情報を、文言に関連付けてアンカー形式で表示を行う関連付け手段を有する検索処理装置とを備える検索システムにおいて、携帯端末の画面に表示されているテキスト文書を、検索処理装置に送信する送信手段と、送信手段によって送信されたテキスト文書中の、関連付け手段により関連付けられたアンカー形式で表示される文言の関連情報を閲覧する関連情報閲覧手段を備えることを特徴とする。
【０００８】
検索処理装置は、検出された文言にＵＲＬ（Ｕｓｅｒ  Ｒｅｑｕｉｒｅｍｅｎｔ  Ｌａｎｇｕａｇｅ）情報を埋め込むアンカー処理を行うことを特徴とする。
【０００９】
さらに、携帯端末は、関連情報閲覧手段におけるテキスト文書を検索処理装置へ再度送信する再送信手段を有し、再送信手段によって送信されたテキスト文書中の、関連付け手段により関連付けられたアンカー形式で表示される文言の関連情報を閲覧する再検索手段を備えることを特徴とする。
【００１０】
また、本発明の携帯端末を利用した検索方法は、携帯端末により、ウェブサイトを閲覧する閲覧ステップと、検索処理装置により、テキスト文書からデータベース内にある文言を検出する検出ステップと、検出ステップによって検出された文言について関連情報を検索する検索ステップと、検索ステップにて検索された情報を、文言に関連付けてアンカー形式で表示を行う関連付けステップを有する検索方法において、携帯端末の画面に表示されているテキスト文書を、検索処理装置に送信する送信ステップと、送信ステップによって送信されたテキスト文書中の、関連付けステップにより関連付けられたアンカー形式で表示される文言の関連情報を閲覧する関連情報閲覧ステップを有することを特徴とする。
【００１１】
検索処理装置が、検出された文言にＵＲＬ（Ｕｓｅｒ  Ｒｅｑｕｉｒｅｍｅｎｔ  Ｌａｎｇｕａｇｅ）情報を埋め込むアンカー処理を行うステップを有することを特徴とする。
【００１２】
さらに、携帯端末が、関連情報閲覧ステップにおけるテキスト文書を検索処理装置へ再度送信する再送信ステップを有し、再送信ステップによって送信されたテキスト文書中の、関連付けステップにより関連付けられたアンカー形式で表示される文言の関連情報を閲覧する再検索ステップを有することを特徴とする。
【発明の効果】
【００１３】
本発明によれば、ウェブページ閲覧中の画面に表示されている事項に関する情報の検索を行いたい場合に、検索サービス提供会社のサーバーは、送信されたテキスト情報を受信してデータベースにある文言を検出し、該検索サービス処理後のコンテンツ（ＨＴＭＬ）情報を、要求元の携帯端末機に送信する。これにより、携帯端末機における情報検索の実行性と利便性を高める事ができる。
【発明を実施するための最良の形態】
【００１４】
次に、添付図面を参照して本発明による“携帯端末を利用した検索システムおよびその検索方法“の、実施の形態を詳細に説明する。図１は、本発明の実施形態を示したフローチャートである。また、図２は、図１のフローチャートに対応した動作手順例を、点線と丸付き数字とを付記して示した、ブロック構成図である。
【００１５】
図１における本発明の第1の実施形態では、携帯端末を持つユーザが、ウェブページ閲覧中に情報検索を行いたい場合に（図１のステップＡ１／Ｙｅｓ）、携帯端末の検索キーを押下する。このことにより、公衆無線電話網およびインターネットを介して表示されているテキスト情報を、検索サービス提供会社のサーバーに送信される（ステップＡ２）。
【００１６】
本送信に対応して、前記の検索サービス提供会社のサーバーが、要求元の携帯端末より送信されたテキスト情報を受信し、検索サービス提供会社のサーバーのデータベースにある文言を検出する（ステップＡ３）。この検出された文言と関連する、ＵＲＬ（Ｕｓｅｒ  Ｒｅｑｕｉｒｅｍｅｎｔ  Ｌａｎｇｕａｇｅ）情報を埋め込んだ（例、ＨＴＭＬのＷｅｂ ｔｏ機能の埋め込み）、アンカー処理（リンク付け）を行う。そして、インターネットおよび公衆無線電話網を介して、検索サービス処理後のコンテンツ（ＨＴＭＬ）情報を、要求元の携帯端末に送信する。
【００１７】
これに対応して、要求元の携帯端末が、検索サービス提供会社サーバーより、検索サービス処理後のコンテンツ（ＨＴＭＬ）情報を受信する（ステップＡ４）。この受信に対応し、検索サービス処理後のコンテンツ（ＨＴＭＬ）情報に基づいて、検索可能な文言を、アンカー形式で表示する（ステップＡ５）。そして、ユーザによるアンカーテキストの選択があった場合には（ステップＡ６／Ｙｅｓ）、リンクされた関連情報のウェブページ画面を、要求元の携帯端末において表示することが、可能となる（ステップＡ７）。
【００１８】
本発明の実施形態における構成について、図面を参照して詳細に説明する。図２は、本発明における上記実施形態に対応する携帯端末を利用した検索システムの構成内容を、ブロック構成図として示している。なお、同図中の円付き数字と点線の矢印は、動作手順例を説明するための補助的な符号及び記号である。図２に示した構成例を参照すると、本発明の第１の実施例は、検索サービス提供会社サーバー１と、検索情報データベース４と、携帯端末５とから構成されている。尚、これらの検索サービス提供会社サーバー１、検索情報データベース４、携帯端末５、およびコンテンツプロバイダーサーバー６は、インターネット２および公衆無線電話網３を介して、相互に接続されている。本システムにおいて、検索サービス提供会社サーバー１内の記憶装置１０２から読み出したソフトウェアで構成されたプログラムを、同サーバー１内のＣＰＵ１０１の制御に基づき実行することにより、システム動作する。なお、図２において、インターネット２として図示されている通信網は、インターネット以外の通信網であってもよい。
【００１９】
上記のシステム構成において、検索サービス提供会社サーバー１は、携帯端末５より送信されたテキスト情報を受信すると、自サーバー１のデータベースにある文言を検出する。さらに、この検出された文言の関連情報のＵＲＬ情報を埋め込む（例、HTMLのWeb to機能の埋め込み）、アンカー処理（リンク付け）を行い、インターネット２および公衆無線電話網３を介して、検索サービス処理後のコンテンツ（HTML）情報を、携帯端末５に送信する、送信手段を有する。また、検索サービス提供会社サーバー１は、ＣＰＵ１０１、記憶装置１０２および検索情報ＤＢ４を含み構成され、検索用関連情報データの収集・管理・蓄積をする、機能を有する。
【００２０】
なお、上記検索情報データベース（ＤＢ）４には、常に、最新の検索用関連情報が格納されている。本構成に基づく検索サービス提供会社サーバー１は、検索情報データベース４への情報の書き込み、並びに情報の読み出しを、行うことができる。
【００２１】
携帯端末５は、公衆無線電話網３を介してインターネット２に接続する手段を有する、携帯電話装置である。そして、本携帯端末５を持つユーザは、コンテンツプロバイダーサーバー６より提供されている、ウェブページ閲覧中に情報検索を行いたい場合には、携帯端末５の検索キーを押下する。このことにより、公衆無線電話網３およびインターネット２を介して表示されている、テキスト情報を検索サービス提供会社サーバー１に送信し、更に検索サービス処理後のコンテンツ（HTML）情報を受信する、各機能を有する。また、検索サービス処理後のコンテンツ（HTML）情報に基づいて、検索可能な文言をアンカー形式で表示する機能と、さらに、ユーザによるアンカーテキストの選択があった場合には、リンクされたコンテンツプロバイダーサーバー６より提供されている、関連情報のウェブページを表示する機能と、を有する。尚、コンテンツプロバイダーサーバー６は、公衆無線電話網３およびインターネット２を介して携帯端末５からのアクセスを受け、コンテンツを提供できるウェブサーバーである。
【００２２】
図３は、本実施形態における検索処理（ステップＡ３）の動作を示すフローチャートである。先ず、検索サービス提供会社サーバー１は、携帯端末５より送信されたテキスト情報を受信し（ステップＢ１）、受信したテキスト情報において、自サーバーの検索情報データベース４にある文言の検出を行う（ステップＢ２）。そこで検出された文言について関連情報のＵＲＬ情報を埋め込んだ（例、ＨＴＭＬ（Ｈｙｐｅｒ  Ｔｅｘｔ  Ｍａｒｋｕｐ  Ｌａｎｇｕａｇｅ）のＷｅｂ  ｔｏ機能の埋め込み）アンカー処理（リンク付け）を行う（ステップＢ３）。アンカー処理を行った検索サービス処理後のコンテンツ（ＨＴＭＬ）情報が携帯端末５に送信される（ステップＢ４）。
【００２３】
図４は、コンテンツプロバイダーサーバー６に格納されているウェブページ画面の表示例である。図２に処理手順例を示した様に、携帯端末５を持つユーザが、ウェブページ閲覧中に情報検索を行いたい場合には、携帯端末５の検索キーを、押下するだけで、公衆無線電話網３およびインターネット２を介して、表示されているテキスト情報を、検索サービス提供会社サーバー１に、送信することができる。尚、図５には、検索サービス処理後のコンテンツ（ＨＴＭＬ）情報に基づく、検索可能な文言をアンカー形式で表示した例を示している。また、図６は、リンクされた関連情報のウェブページ画面の表示例である。この場合は、図５におけるアンカー形式で表示された「コンパクト」についてユーザが選択した際の表示例である（例：「コンパクト」の場合）。
【００２４】
このように、携帯端末５を持つユーザが、コンテンツプロバイダーサーバー６のウェブページ閲覧中に、情報検索を行いたい場合（図１のＡ１／Ｙｅｓ）には、下記の手順で、処理が実行される。ステップＡ２において、携帯端末５の検索キーを押下することにより、公衆無線電話網３およびインターネット２を介して、表示されているテキスト情報を、検索サービス提供会社サーバー１に送信する（図２の点線（２）の流れ部分）。検索サービス提供会社サーバー１にて検索サービス処理を行った後、検索サービス処理後のコンテンツ（ＨＴＭＬ）情報を、携帯端末５に送信する（図２の点線（３）の流れ部分）。携帯端末５は、検索サービス処理後のコンテンツ情報に基づいて検索可能な文言をアンカー形式で表示し、そして、ユーザがアンカーテキストの選択があった場合には、リンクされたコンテンツプロバイダーサーバー６より提供されている関連情報のウェブページを表示することが出来る（図２の点線（３）の流れ部分）。
【００２５】
次に、図７は本発明の第２の実施形態に基づく構成である。本発明の第２の実施例では、携帯端末５を持つユーザが、コンテンツプロバイダーサーバー６より、ＵＲＬａのコンテンツＤ／Ｌを行い、ウェブページ閲覧中に（図７の（１）流れ部分）情報検索を行いたい場合には、携帯端末５の検索キーを押す。
【００２６】
本操作により、公衆無線電話網３およびインターネット２を介して表示されているコンテンツのＵＲＬａを、検索サービス提供会社サーバー１に送信（図７の（２）流れ部分）する。そして、インターネット２を介して検索サービス提供会社サーバー１より、コンテンツのＵＲＬａをコンテンツプロバイダーサーバー６に送信（図７の（３）流れ部分）し、コンテンツプロバイダーサーバー６より、ＵＲＬａのコンテンツＤ／Ｌを行った後（図７の（４）流れ部分）、検索サービス提供会社サーバー１にて検出文言のアンカー処理(ＵＲＬｂの埋め込み)を行った後、ＵＲＬａ'（アンカー埋め込んだコンテンツの検索サービス提供会社サーバー１上のＵＲＬ）のコンテンツを携帯端末５に送信し（図７の（５）流れ部分）、携帯端末５がＵＲＬａ'のコンテンツを受信して、表示を行う（図７の（６）流れ部分）。
【００２７】
そして、ユーザによるアンカーテキストの選択があった場合には、ＵＲＬｂをリンクされたコンテンツプロバイダーサーバー６に送信し（図７の（７）流れ部分）、コンテンツプロバイダーサーバー６よりＵＲＬｂのコンテンツをＤ／Ｌし、表示することができる（図７の（８）流れ部分）。
【００２８】
次に、本発明における第３の実施形態の構成について、図８を用いて説明する。図８は、本発明の、第３の実施形態に対応する、構成内容を示す図である。携帯端末５を持つユーザが、コンテンツプロバイダーサーバー６よりＵＲＬａのコンテンツＤ／Ｌを行い（図８の（１）流れ部分）、ウェブページ閲覧中に情報検索を行いたい場合には、携帯端末５の検索キーを押下する。このことにより、公衆無線電話網３およびインターネット２を介して表示されているコンテンツのＵＲＬａを、検索サービス提供会社サーバー１に送信し（図８の（２）流れ部分）、そして、インターネット２を介して検索サービス提供会社サーバー１よりコンテンツのＵＲＬａを、コンテンツプロバイダーサーバー６に送信（図８の（３）流れ部分）する。
【００２９】
コンテンツプロバイダーサーバー６よりＵＲＬａのコンテンツＤ／Ｌを行った後（図８の（４）流れ部分）、さらに検索サービス提供会社サーバー１にて検出文言のアンカー処理(ＵＲＬｂ'の埋め込み)を行った後、ＵＲＬａ'（検索サービス提供会社サーバー１のアンカーを埋め込んだコンテンツの検索サービス提供会社サーバー１上のＵＲＬ）のコンテンツを携帯端末５に送信し（図８の（５）流れ部分）、携帯端末５がＵＲＬａ'のコンテンツを受信して表示を行う（図８の（６）流れ部分）。
【００３０】
そして、ユーザによるアンカーテキストの選択があった場合には、ＵＲＬｂ'をリンクされた検索サービス提供会社サーバー１に送信し（図８の（７）流れ部分）、検索サービス提供会社サーバー１よりＵＲＬｂをコンテンツプロバイダーサーバー６に送信する（図８の（８）流れ部分）。コンテンツプロバイダーサーバー６よりＵＲＬｂのコンテンツＤ／Ｌを行った後（図８の（９）流れ部分）、携帯端末５が、検索サービス提供会社サーバー１よりＵＲＬｂ'のコンテンツをＤ／Ｌし、表示することができる（図８の（１０）流れ部分）。
【００３１】
以上のように、本発明の実施例によれば、携帯端末を持つユーザが、ウェブページ閲覧中に情報検索を行いたい場合には、検索文字を入力する必要がない。また、検索サービス処理で検出された検索可能な文言が明確であり、検索したが検索結果が"見つかりませんでした"と言うことが無くなる、という効果がある。さらに、検出文言のアンカー処理後、アンカーを埋め込んだコンテンツの検索サービス提供会社サーバー上のＵＲＬを、携帯端末に送信することによって、検索結果もオリジナルコンテンツとほぼ同じ見えで返って来ることができる、という効果がある（第２の実施例）。
【００３２】
さらに、検出文言のアンカー処理後、検索サービス提供会社サーバーのアンカーを埋め込んだコンテンツの、検索サービス提供会社サーバー上のＵＲＬを携帯端末に送信する。このことによって、２回目以降は、検索サービス提供会社サーバーのコンテンツの仕組みにより、携帯端末側は何の仕組みも必要なく、アンカー埋め込みのコンテンツを、閲覧することができる（第３の実施例）。
【００３３】
そして、検索可能な文言にアンカー付けする情報サイト先（ＵＲＬ）は、検索サービス提供会社の意向により、提携先のコンテンツプロバイダーのサイトへ、誘導することが可能となる。そして、検索可能な文言にアンカー付けする情報サイト先（ＵＲＬ）は、携帯端末を持つユーザの特性（性別、年齢、趣味等）に合わせて埋め込むことが可能となる、という効果がある。
【図面の簡単な説明】
【００３４】
【図１】本発明の第１の実施例に対応する、全体の動作手順例を示すフローチャート図である。
【図２】本発明の第１の実施例に対応する、システム構成内容を示す図である。
【図３】本発明の第１の実施例に対応する、検索サービス処理の動作手順例を示すフローチャート図である。
【図４】本発明の第１の実施例における携帯端末の画面イメージ図（コンテンツプロバイダーサーバーのウェブページ表示画面）である。
【図５】本発明の第１の実施例における携帯端末の画面イメージ図（検索可能な文言をアンカー形式で表示する画面）である。
【図６】本発明の第１の実施例における携帯端末の画面イメージ図（リンクされた関連情報のウェブページ表示画面（例：コンパクトの場合））である。
【図７】本発明の第２の実施例に対応する、システム構成内容を示す図である。
【図８】本発明の第３の実施例に対応する、システム構成内容を示す図である。
【符号の説明】
【００３５】
１    検索サービス提供会社サーバー
２    インターネット
３    公衆無線電話網
４    検索情報データベース（ＤＢ）
５    携帯端末
６    コンテンツプロバイダーサーバー
１０１    ＣＰＵ
１０２    記憶装置
【図１】
2009211278.tif 000003
【図２】
2009211278.tif 000004
【図３】
2009211278.tif 000005
【図４】
2009211278.tif 000006
【図５】
2009211278.tif 000007
【図６】
2009211278.tif 000008
【図７】
2009211278.tif 000009
【図８】
2009211278.tif 000010